(57)【要約】【課題】単位電池相互間の結線が容易であり、均一な単位電池の温度調節が実施し易い組電池を提供することを目的とする。【解決手段】組電池３は、複数のユニット電池セル３ａ〜３ｃと、一方側端子４と、他方側端子５と、折曲部４ａ〜４ｃと、拝合わせ部５ａ、５ｂとを有する。複数のユニット電池セル３ａ〜３ｃは、一対の単位電池１、２が互いに積層されている。一方側端子４は、ユニット電池セル３ａ〜３ｃの各々の積層方向と直交する方向の一方側に一対の単位電池１、２から夫々突出している。他方側端子５は、ユニット電池セル３ａ〜３ｃの各々の積層方向と直交する方向の他方側に一対の単位電池１、２から夫々突出している。折曲部４ａ〜４ｃは、全体としてＵ字状である。拝合わせ部５ａ、５ｂは、他方側端子５同士が互いに接近し、当該接近した部分が、積層方向から突き合わせて接続されている。【選択図】図１
2014220153.tif 000002
【特許請求の範囲】
【請求項１】
夫々、一方側から突出する一方側端子（４）と、他方側から突出する他方側端子とを備える複数の単位電池（１、２）を少なくとも直列に集合した組電池（３）であって、
一対の前記単位電池（１、２）が互いに積層されて形成された複数のユニット電池セル（３ａ〜３ｃ）と、
前記ユニット電池セル（３ａ〜３ｃ）の各々を構成する前記一対の前記単位電池（１、２）の前記一方側端子（４）がＵ字状に形成された折曲部（４ａ〜４ｃ）と、
積層された前記ユニット電池セル（３ａ〜３ｃ）相互間を接続する部分であって、前記他方側端子（５）同士が前記積層方向と直交する方向に延びて接近し、当該接近した部分が、前記積層方向から突き合わせて接続された拝合わせ部（５ａ、５ｂ）と、を有することを特徴とする組電池。
【請求項２】
前記単位電池（１、２）の前記一方側から前記他方側に延在する前記単位電池（１、２）の中心線（Ｙ６）に対して、前記一方側端子（４）および前記他方側端子（５）が、予め設定されたオフセット寸法（Ｈ６）だけずれて前記中心線（Ｙ６）と平行に突出していることを特徴とする請求項１に記載の組電池。
【請求項３】
前記一対の前記単位電池（１、２）は、前記一方側端子（４）および前記他方側端子（５）がオフセットした側のオフセット側側面（６）と、該オフセット側側面（６）と対向する非オフセット側側面（７）とを有し、
前記ユニット電池セル（３ａ〜３ｃ）の各々は、前記非オフセット側側面（７）同士が隣接して積層されていることを特徴とする請求項２に記載の組電池。
【請求項４】
前記一対の前記単位電池（１、２）は、前記一方側端子（４）および前記他方側端子（５）がオフセットした側のオフセット側側面（６）と、該オフセット側側面（６）と対向する非オフセット側側面（７）とを有し、
前記ユニット電池セル（３ａ〜３ｃ）の各々は、前記オフセット側側面（６）同士が隣接して積層されていることを特徴とする請求項２に記載の組電池。
【請求項５】
前記折曲部（４ａ〜４ｃ）と前記ユニット電池セル（３ａ〜３ｃ）を構成する相対向する前記一対の前記単位電池（１、２）との間に、閉塞空間（８）を有し、前記閉塞空間（８）内にセンサーに至るワイヤハーネス（９）を収納していることを特徴とする請求項１ないし４のいずれか一項に記載の組電池。
【請求項６】
前記ユニット電池セル（３ａ〜３ｃ）内の隣接する前記単位電池（１、２）相互間または前記ユニット電池セル（３ａ〜３ｃ）相互間に、放熱板（１２ａ〜１２ｃ）が設けられていることを特徴とする請求項１ないし５のいずれか一項に記載の組電池。
【請求項７】
前記ユニット電池セル（３ａ〜３ｃ）を構成する前記一対の前記単位電池（１、２）相互間に絶縁板（１１ａ〜１１ｃ）が設けられ、前記拝合わせ部（５ａ、５ｂ）相互間に前記絶縁板（１１ａ〜１１ｃ）の一部が介在していることを特徴とする請求項１ないし６のいずれか一項に記載の組電池。
【請求項８】
前記絶縁板（１１ａ〜１１ｃ）の一端が、前記折曲部（４ａ〜４ｃ）を支持していることを特徴とする請求項７に記載の組電池。
【請求項９】
前記折曲部（４ａ〜４ｃ）と前記拝合わせ部（５ａ、５ｂ）のうち放熱性能が悪い方から良い方に向かって、前記単位電池（１、２）を冷却する熱輸送媒体が流れることを特徴とする請求項１ないし８のいずれか一項に記載の組電池。
【発明の詳細な説明】
【技術分野】
【０００１】
本発明は、単位電池を集合した組電池に関するものである。特には、２組の単位電池からユニット単位電池セルを構成し、このユニット単位電池セルを積層して構成した組電池における端子の熱放散に影響する結線構造に関する。
【背景技術】
【０００２】
従来、特許文献１に記載の電池モジュールが知られている。この構造では、電池セルの機械強度を補強しながら、サイズを最小限にし、かつ追加の結合部材を使用することなく、電池モジュールを容易に結合させるセルカバー構造が提示されている。
【０００３】
これは、電池を二個溶接し、溶接した箇所で折り返して、端子をＵ字状部に成形するものである。他方の端子は互いに外側に曲げて、同じ形状の電池群と重ね合わせ、外側に曲げた端子同士を溶接している。または、外側に曲げた箇所を、モジュールケースを使って結線している。
【先行技術文献】
【特許文献】
【０００４】
【特許文献１】特表２００９−５２９２１８号公報
【発明の概要】
【発明が解決しようとする課題】
【０００５】
上記特許文献１の技術によると、電池セル間のＵ字状部の結線は問題なく出来るが、外側に折り曲げられた結線部の溶接はスペースが小さく、溶接性が悪い。また、この種の組電池は、空気、冷媒、冷却水と言った熱輸送媒体によって冷却または加熱され、電池適正温度範囲内に入り、効率よく電池の充電または放電が成されるように温度調節される。しかし、この熱輸送媒体の温度分布や流速分布には、ばらつきがあり、均一な単位電池の温度調節がやり難い。しかし、上記特許文献１には、この問題に関して解決に至る示唆がない。
【０００６】
本発明は、上記問題点に鑑み、単位電池相互間の結線が容易であり、均一な単位電池の温度調節が実施し易い組電池を提供することを目的とする。
【０００７】
従来技術として列挙された特許文献の記載内容は、この明細書に記載された技術的要素の説明として、参照によって導入ないし援用することができる。
【課題を解決するための手段】
【０００８】
本発明は上記目的を達成するために、下記の技術的手段を採用する。すなわち、本発明では、夫々、一方側から突出する一方側端子（４）と、他方側から突出する他方側端子とを備える複数の単位電池（１、２）を少なくとも直列に集合した組電池（３）を構成している。そして、一対の単位電池（１、２）が互いに積層されて形成された複数のユニット電池セル（３ａ〜３ｃ）を有している。また、ユニット電池セル（３ａ〜３ｃ）の各々を構成する一対の単位電池（１、２）の一方側端子（４）がＵ字状に形成された折曲部（４ａ〜４ｃ）を有している。かつ、積層されたユニット電池セル（３ａ〜３ｃ）相互間を接続する部分であって、他方側端子（５）同士が積層方向と直交する方向に延びて接近し、当該接近した部分が、積層方向から突き合わせて接続された拝合わせ部（５ａ、５ｂ）を有している。
【０００９】
この発明によれば、折曲部（４ａ〜４ｃ）は、一方側端子（４）がＵ字状に形成されている。一方、拝合わせ部（５ａ、５ｂ）は、積層されたユニット電池セル（３ａ〜３ｃ）相互間を接続する部分であって、他方側端子（５）同士が積層方向と直交する方向に延びて接近し、当該接近した部分が、積層方向から突き合わせて接続されている。
【００１０】
従って、折曲部（４ａ〜４ｃ）と拝合わせ部（５ａ、５ｂ）との構成が異なり、放熱または吸熱性能が異なるので熱輸送媒体による放熱作用または吸熱作用の分布に合わせて折曲部（４ａ〜４ｃ）と拝合わせ部（５ａ、５ｂ）とを配置できる。よって、組電池（３）の一方側と他方側とを均一な温度に維持し易い。
【００１１】
また、別の発明においては、単位電池（１）、（２）の一方側から他方側に延在する中心線（Ｙ６）に対して、一方側端子（４）および他方側端子（５）が、予め設定されたオフセット寸法（Ｈ６）だけずれて中心線（Ｙ６）と平行に突出している。
【００１２】
これによれば、ユニット電池セル（３ａ〜３ｃ）同士を積層して組電池（３）が構成される。この組電池（３）において、折曲部（４ａ〜４ｃ）および拝合わせ部（５ａ、５ｂ）の位置および大きさを、オフセット寸法（Ｈ６）または積層してユニット電池セル（３ａ〜３ｃ）を構成する際の単位電池（１）、（２）の向きに応じて設定できる。
【００１３】
更に別の発明では、一対の単位電池（１）、（２）は、一方側端子（４）および他方側端子（５）がオフセットした側のオフセット側側面（６）と、該オフセット側側面（６）と対向する非オフセット側側面（７）とを有している。そして、ユニット電池セル（３ａ〜３ｃ）の各々は、非オフセット側側面（７）同士が隣接して積層されている。
【００１４】
これによれば、ユニット電池セル（３ａ〜３ｃ）の各々は、非オフセット側側面（７）同士が隣接して積層されているから、拝合わせ部（５ａ、５ｂ）相互間の離間距離を充分にとることができる。そのため、積層方向から突き合わせて接続される拝合わせ部（５ａ、５ｂ）の接続作業を容易にすることができる。
【００１５】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１６】
【図１】本発明の第１実施形態となる組電池の平面図である。
【図２】図１の組電池の端部における拝合わせ部の構成を説明する模式図である。
【図３】図１の組電池の折曲部の構成を説明する模式図である。
【図４】上記第１実施形態の変形例１を示す折曲部の平面図である。
【図５】上記第１実施形態の変形例２を示す折曲部の平面図である。
【図６】本発明の第２実施形態を示す組電池を構成する単位電池の平面図である。
【図７】図６の単位電池を複数組み合わせて組電池とした状態を示す平面図である。
【図８】上記第２実施形態の組電池の組み付けにおける第１工程を説明する説明図である。
【図９】上記第２実施形態の組電池の組み付けにおける第２工程を説明する説明図である。
【図１０】上記第２実施形態の組電池の組み付けにおける第３工程を説明する説明図である。
【図１１】上記第２実施形態の組電池の組み付けにおける第４工程を説明する説明図である。
【図１２】上記第２実施形態の変形例となる組電池を構成する単位電池の平面図である。
【図１３】本発明の第３実施形態を説明する組電池の平面図である。
【図１４】本発明の第４実施形態に使用する一方と他方の両方にオフセットした単位電池の平面図である。
【図１５】上記第４実施形態となる図１４の単位電池を使用した組電池の積層構造を示す平面図である。
【図１６】上記第４実施形態の変形例となる図１４の単位電池を使用した組電池の積層構造を示す平面図である。
【図１７】本発明の第５実施形態を示す組電池の平面図である。
【図１８】本発明の第５実施形態の変形例を示す組電池の平面図である。
【図１９】本発明の第６実施形態を示す組電池の平面図である。
【発明を実施するための形態】
【００１７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００１８】
各実施形態で具体的に組合せが可能であることを明示している部分同士の組合せばかりではなく、特に組合せに支障が生じなければ、明示していなくても実施形態同士を部分的に組合せることも可能である。
【００１９】
（第１実施形態）
以下、本発明の第１実施形態について図１ないし図３を用いて詳細に説明する。図１は、本発明の第１実施形態となる組電池（電池パックとも呼ばれる）３を示している。図１において、複数の単位電池１、２が積層され集合して組電池３を形成している。単位電池（単電池セルとも言う）１、２は、ラミネート型のものを図示しているが缶型であっても良い。
【００２０】
単位電池１、２は互いに積層されたユニット電池セル３ａを構成している。ユニット電池セル３ａ〜３ｃは、夫々単位電池１、２が二つ直列に構成されて形成されている。図１では６個の単位電池が積層されて互いに結線され、３つのユニット電池セル３ａ〜３ｃが構成されている状態を一例として図示している。３つのユニット電池セル３ａ〜３ｃをまとめて組電池３と称する。
【００２１】
ユニット電池セル３ａ〜３ｃの各々の積層方向と直交する方向の一方側（図１中左側）に一方側端子４が突出している。ユニット電池セル３ａ〜３ｃの各々の積層方向と直交する方向の他方側（図１右側）に突出した他方側端子５を備えている。
【００２２】
一方側端子４は、接続部と成る単位電池１、２同士の端子の折曲部４ａ〜４ｃを構成している。他方側端子５は、隣接する単位電池の端子同士が直交する方向に延在するにつれ互いに接近し、当該接近した部分が積層方向から突き合わされて接続された拝合わせ部５ａ、５ｂを構成している。
【００２３】
このように、一方側端子４は、接続部と成る単位電池１、２同士の端子の折曲部４ａ〜４ｃを有する。これに比べて、他方側端子５には、隣接する単位電池の端子同士を直交する方向に延在するにつれ互いに接近し、当該接近した部分を積層方向から突き合わせた拝合わせ部５ａ、５ｂを有する。また、図１において、拝合わせ部５ａ、５ｂを構成しない他方側端子５は、組電池３の終端端子を構成している。
【００２４】
従って、一方側端子４と他方側端子５の接続部分の構造が異なり、かつ、一方側端子４と他方側端子５とは夫々端子の接合のみで接続が完了しており、特別な接続具を必要とせず、単に溶接部やボルト部分で接続を完了させることができている。
【００２５】
また、一方側端子４は、折曲部４ａ〜４ｃから成るから、空気等の熱輸送媒体との接触面積を小さくし易い。これに比べて、他方側端子は、拝合わせ部５ａ、５ｂを有するから熱輸送媒体との接触面積を大きくし易い。
【００２６】
従って、一方側端子４と他方側端子５の放熱または吸熱性能が異なるので熱輸送媒体による放熱作用または吸熱作用の分布に合わせて一方側端子４と他方側端子５とを配置でき、組電池３の一方側と他方側とを均一な温度に維持し易い。
【００２７】
換言すれば、一方側端子４は、折曲部４ａ〜４ｃを有し、他方側端子は、拝合わせ部５ａ、５ｂを有するから、組電池３全体の熱伝達率を左右非対称に出来る。従って、冷却風の上流側に熱伝達率が悪い結線構造、下流側に熱伝達率が良い結線構造を配置することで組電池３全体における温度バラツキを低減できる。
【００２８】
なお、組付けにおいては、単位電池１、２等を積み重ねてから一方側端子４と他方側端子５に接続部４ａ〜４ｃ、５ａ、５ｂを構成してもよいし、一方側端子４に接続部４ａ〜４ｃを構成してから一方側端子４と他方側端子５とを積層しても良い。
【００２９】
図２を用いて、図１の組電池３の端部における拝合わせ部５ａまたは５ｂの構成を説明する。異なるユニット電池セル３ａ〜３ｃ間を接続するために、他方側端子５を構成する例えば銅の端子とアルミニウムの端子とが接続されて、拝合わせ部５ａ、５ｂが形成されている。
【００３０】
この場合、隣接する単位電池１、２の端子同士を積層方向と直交する方向に延在するにつれ互いに接近させ、当該接近した部分を積層方向から突き合わせて破線で示す溶接部５ｙを溶接して拝合わせ部５ａ、５ｂを構成している。拝合わせ部５ａを形成する図２下側の端子は銅製であり、図２上側の端子は、アルミニウム製である。
【００３１】
図３を用いて、図１の組電池３の一方側端子４から成る折曲部４ａ〜４ｃの構成を説明する。図３下側のアルミニウム製端子と上側の銅製端子との重ねあう部分を溶接（溶接部４ｙ）し、折曲部４ａ〜４ｃを構成している。
【００３２】
（第１実施形態の作用効果）
上記第１実施形態においては、複数の単位電池１、２を少なくとも直列に集合して組電池３を構成している。組電池３は、複数のユニット電池セル３ａ〜３ｃと、一方側端子４と、他方側端子５と、折曲部４ａ〜４ｃと、拝合わせ部５ａ、５ｂとを有する。
【００３３】
複数のユニット電池セル３ａ〜３ｃは、一対の単位電池１、２が互いに積層されて形成されている。一方側端子４は、ユニット電池セル３ａ〜３ｃの各々の積層方向と直交する方向の一方側に一対の単位電池１、２から夫々突出している。
【００３４】
他方側端子５は、ユニット電池セル３ａ〜３ｃの各々の積層方向と直交する方向の他方側に一対の単位電池１、２から夫々突出している。折曲部４ａ〜４ｃは、ユニット電池セル３ａ〜３ｃの各々の一方側端子４が全体としてＵ字状に形成されている。
【００３５】
拝合わせ部５ａ、５ｂは、ユニット電池セル３ａ〜３ｃ相互間を接続するために、他方側端子５同士が積層方向と直交する方向に延在するにつれ互いに接近し、当該接近した部分が、積層方向から突き合わせて接続されている。
【００３６】
これによれば、一方側端子４は、折曲部４ａ〜４ｃを含む。これに比べて、他方側端子は、拝合わせ部５ａ、５ｂを含む。この拝合わせ部５ａ、５ｂは、隣接する単位電池１、２の端子同士を直交する方向に延在するにつれ互いに接近し、当該接近した部分を積層方向から突き合わせて形成されている。
【００３７】
従って、一方側端子４と他方側端子５の接続部分の構造が異なり、かつ、一方側端子４と他方側端子５とは夫々端子の接合のみで接続が完了しており、特別な接続具を必要とせず、単に溶接部やボルト等の締結具で接続を完了させることができる。
【００３８】
また、一方側端子４と他方側端子５の構成が異なり、放熱または吸熱性能が異なるので熱輸送媒体による放熱作用または吸熱作用の分布に合わせて、一方側端子４と他方側端子５とを配置でき、組電池３の一方側と他方側とを均一な温度に維持し易い。換言すれば、結線構造を成す折曲部４ａ〜４ｃと拝合わせ部５ａ、５ｂとにより、空気等の熱伝達媒体に対する端子からの熱伝達率を組電池３の左右で非対称にできる。これにより、例えば冷却風の上流側に熱伝達率が悪い結線構造、下流側に熱伝達率が良い結線構造を採択することで、組電池３全体中の温度バラツキを低減できる。
【００３９】
（第１実施形態の変形例１）
図４を用いて、本発明の第１実施形態の変形例１を示す折曲部４ａ〜４ｃを説明する。折曲部４ａ〜４ｃの構成は、第１実施形態の変形例１を示す図４のように、一対の単電池１、２のうち単電池２の端子（図４下側の端子）をＵ字状に曲げ、全体としてＵ字状の折曲部４ａ〜４ｃとしている。
【００４０】
（第１実施形態の変形例２）
図５を用いて、本発明の第１実施形態の変形例２を示す折曲部４ａ〜４ｃを説明する。折曲部４ａ〜４ｃは、第１実施形態の変形例２を示す図５のように、一対の単電池１、２のうち単電池１の端子（図５上側の端子）をＵ字状に曲げ、かつ、複数の屈曲部をＵ字状に曲げた途中に形成して、全体としてＵ字状の折曲部４ａ〜４ｃとしている。
【００４１】
（第２実施形態）
次に、本発明の第２実施形態について説明する。なお、以降の各実施形態においては、上述した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。
【００４２】
図６は、本発明の第２実施形態を示す組電池３を構成する単位電池１、２を示す。この第２実施形態を構成する単位電池１、２は、単位電池１、２から突出する端子が一方（図６中上方）にオフセットしている。
【００４３】
図６において、単位電池１、２の一方側から他方側に延在する中心線Ｙ６に対して、一方側端子４または他方側端子５を構成する単位電池１、２の端子が予め設定されたオフセット寸法Ｈ６だけずれて中心線Ｙ６と平行に突出している。
【００４４】
図７を用いて、単位電池１、２から突出する端子が一方（図６中上方）にオフセットしている図６の単位電池１、２を複数（６個）組み合わせて組電池３とした状態を説明する。図７のように、ユニット電池セル３ａ〜３ｃを積層するときに、折曲部４ａ〜４ｃを大きくし、拝合わせ部５ａ、５ｂをコンパクトに構成することができる。これにより、折曲部４ａ〜４ｃまたは拝合わせ部５ａ、５ｂの放熱または吸熱性能を調整することができる。
【００４５】
図８を用いて、第２実施形態の組電池の組み付けにおける第１工程を説明する。また、図９を用いて上記第２実施形態の組電池の組み付けにおける第２工程を説明する。更に、図１０を用いて、上記第２実施形態の組電池の組み付けにおける第３工程を説明する。かつ、図１１を用いて、上記第２実施形態の組電池の組み付けにおける第４工程を説明する。
【００４６】
図６に示された単位電池１、２は、図８のように、単位電池１の他方側端子５と単位電池２の一方側端子４とが破線の楕円部にて示す接続部４５で接続される。この接続部４５は、後に折り曲げられて折曲部４ａ〜４ｄを形成する。なお、単位電池１、２の状態で既に折曲部（折曲がって形成されている部分）が存在していても良い。また、折曲部の形成は、鍛造や成型等を用いても良い。
【００４７】
前述したように、単位電池１、２の一方側から他方側に延在する中心線Ｙ６に対して、一方側端子４または他方側端子５を構成する単位電池１、２の端子が、予め設定されたオフセット寸法Ｈ６だけずれて中心線Ｙ６と平行に突出している。よって単位電池１、２には一方側端子４または他方側端子５がオフセットした方向側の側面であるオフセット側側面６と非オフセット側側面７とを有している。
【００４８】
次に図８の矢印Ｙ８１ように、単位電池１を単位電池２の方に折り返す。これにより、図９および図１０のように、一つのユニット電池セル３ａ〜３ｄの集合からなる組電池３が出来上がる。
【００４９】
図１０は、図９のユニット電池セル３ａ〜３ｄを４段に積層した状態を図示している。なお、この積層段数は任意でよい。更に、ユニット電池セル３ａ〜３ｄ相互は直列に並べても、並列に並べても、その組合せでも良いが、以下では、直列に並べるものとして説明する。
【００５０】
次に、図１１のように、隣り合うユニット電池セル３ａ、３ｂ等を図１１の破線部１１ｙ１〜１１ｙ３で結線する。結線工法は、超音波溶接、レーザ溶接、抵抗溶接等の溶接でも良いし、ボルト締結やカシメ締結等の機械的な締結法でも良い。この結線により、図１１のように拝合わせ部５ａ〜５ｃが完成する。
【００５１】
この図１１のユニット電池セル３ａ〜３ｄから成る組電池３は、端子の取り出し口がオフセットされた図６のような単位電池１、２を使う事で、ユニット電池セル３ａ〜３ｄを積層した後に図１１の破線部１１ｙ１〜１１ｙ３を結線するスペースを確保できる。つまり、破線部１１ｙ１〜１１ｙ３相互間の間隔が大きくなるため、結線のための工具が入り易く破線部１１ｙ１〜１１ｙ３での結線作業が容易になる。
【００５２】
また、結線作業が終了した後に拝合わせ部５ａ〜５ｃが完成するが、この拝合わせ部５ａ〜５ｃの大きさを低減できる。更に、折曲部４ａ〜４ｄと拝合わせ部５ａ〜５ｃとのように、左右で端子の形状および大きさを変えることで、端子の空気への伝熱量の割合を変え、冷却時に組電池３内の温度を左右で均一にすることが可能になる。
【００５３】
（第２実施形態の作用効果）
上記第２実施形態においては、図６のように、単位電池１、２の一方側から他方側に延在する中心線Ｙ６に対して、一方側端子４および他方側端子５が、予め設定されたＵオフセット寸法Ｈ６だけずれて中心線Ｙ６と平行に突出している。
【００５４】
これによれば、ユニット電池セル３ａ〜３ｃ同士を図１１のように積層できる。そして折曲部４ａ〜４ｄおよび拝合わせ部５ａ、５ｂの位置および大きさを、オフセット寸法Ｈ６または積層してユニット電池セル３ａ〜３ｄを構成する際の単位電池１、２の向きに応じて設定できる。
【００５５】
また、一対の単位電池１、２は、一方側端子４および他方側端子５がオフセットした側のオフセット側側面６と、該オフセット側側面６と対向する非オフセット側側面７とを有している。そして、ユニット電池セル３ａ〜３ｄの各々は、非オフセット側側面７同士が隣接して積層されている。
【００５６】
これによれば、ユニット電池セル３ａ〜３ｃの各々は、非オフセット側側面７同士が隣接して積層されているから、拝合わせ部５ａ、５ｂ相互間の離間距離を充分にとることができる。そのため、積層方向から突き合わせて接続される拝合わせ部５ａ、５ｂの接続作業を容易にすることができる。
【００５７】
（第２実施形態の変形例）
図１２は、上記第２実施形態の変形例となる組電池３を構成する単位電池１、２を示している。この第２実施形態の変形例を構成する単位電池１、２は、単位電池１、２から突出する端子が一方（図１２上方）にオフセットしている。図１２において、単位電池１、２の一方側から他方側に延在する中心線Ｙ６に対して、一方側端子４または他方側端子５を構成する単位電池１、２の端子が、予め設定されたオフセット寸法Ｈ６だけずれて中心線Ｙ６と平行に突出している。
【００５８】
換言すれば、単位電池１、２のオフセット側側面６から単位電池の端子４、５までの第１高さ寸法Ｈ１２１が、単位電池の非オフセット側側面７から単位電池の端子までの第２高さ寸法Ｈ１２２よりも短く形成されている。
【００５９】
この図１２の単位電池１、２を一対結合した各ユニット電池セルは、図８及び図９と同様に、複数の単位電池１、２を直列に接続部４５にて接合したものを接続部４５にて折曲げて図９と同様に単位電池１、２同士を非オフセット側側面７同士で重ねる。
【００６０】
この図１２の単位電池１、２によれば、一方側端子４および他方側端子５の両方が同じ方向にずれているから、図１１と同様に、折曲部４ａ〜４ｄを大きくし、拝合わせ部５ａ〜５ｃ相互間の離間距離を充分にとることができる。そのため、折曲部４ａ〜４ｄの放熱または吸熱性能を向上させ、かつ拝合わせ部５ａ〜５ｃ相互間での接続作業が容易になる。
【００６１】
（第３実施形態）
次に、本発明の第３実施形態について説明する。上述した実施形態と異なる部分を説明する。図１３は、本発明の第３実施形態を説明する組電池３を示している。図１３において、単位電池１、２は、単位電池１、２から突出する端子が一方にオフセットしている。単位電池１、２の一方側から他方側に延在する中心線に対して、一方側端子４または他方側端子５が予め設定されたオフセット寸法だけずれて中心線と平行に突出している。
【００６２】
図１３は、単位電池１、２から突出する端子が一方にオフセットしている単位電池１、２を複数（６個）６み合わせて組電池３とした状態を示す平面図である。図１３のように、ユニット電池セル３ａ〜３ｃを積層するときに、拝合わせ部５ａ、５ｂをコンパクトに構成することができる。
【００６３】
更に、折曲部４ａ〜４ｃの寸法を大きくすることができる。よって、折曲部４ａ〜４ｃとユニット電池セル３ａ〜３ｃを構成する相対向する単位電池１、２との間に、閉塞空間８を有し、この閉塞空間８内に電圧検出用センサーに至るワイヤハーネス９を収納している。ワイヤハーネス９は、温度測定用センサー用であっても良い。
【００６４】
これによれば、折曲部４ａ〜４ｃとユニット電池セル３ａ〜３ｃを構成する相対向する単位電池１、２の間の閉塞空間８を利用して、センサーに至るワイヤハーネス９を収納しているから、全体として小型の組電池３を構成できる。
【００６５】
（第３実施形態の作用効果）
上記第３実施形態においては、折曲部４ａ〜４ｃとユニット電池セル３ａ〜３ｃを構成する相対向する一対の単位電池１、２との間に、閉塞空間８を有し、閉塞空間８内にセンサーに至るワイヤハーネス９を収納している。
【００６６】
これによれば、折曲部４ａ〜４ｃとユニット電池セル３ａ〜３ｃを構成する相対向する単位電池１、２の間の閉塞空間８を利用して、センサーに至るワイヤハーネス９を収納しているから、全体として小型の組電池を構成できる。また、ワイヤハーネス９の固定が可能になる。
【００６７】
（第４実施形態）
次に、本発明の第４実施形態について説明する。上述した実施形態と異なる部分を説明する。図１４を用いて本発明の第４実施形態に使用する一方と他方の両方にオフセットした単位電池１、２を説明する。また、図１５を用いて、第４実施形態となる図１４の単位電池１（２）を使用した組電池３の積層構造を説明する。
【００６８】
図１４においては、単位電池１、２の一方側から他方側に延在する中心線Ｙ６に対して、オフセット寸法Ｈ６が設定されている。そして、一方側端子４を構成する単位電池１、２の端子、および、他方側端子５を構成する単位電池１、２の端子の両方が、予め設定されたオフセット寸法Ｈ６だけ夫々反対方向にずれて中心線と平行に突出している。
【００６９】
図１５は、単位電池１、２から突出する端子が夫々反対方向にオフセットしている単位電池１、２を複数（６個）６み合わせて組電池３とした状態を示す平面図である。図１５のように、ユニット電池セル３ａ〜３ｄを積層するときに、折曲部４ａ〜４ｃまたは拝合わせ部５ａ〜５ｃの位置および大きさを、夫々反対方向にオフセットしたオフセット寸法Ｈ６に応じて設定することができる。なお、図１４の左右のオフセット寸法Ｈ６は左右同一でなくても良い。
【００７０】
（第４実施形態の変形例）
図１６は、第４実施形態の変形例となる図１４の単位電池１、２を使用した組電池３の積層構造を示している。前述の図１４においては、単位電池１、２の一方側から他方側に延在する中心線Ｙ６に対して、オフセット寸法Ｈ６が設定されている。そして、一方側端子４を構成する単位電池１、２の端子、および、他方側端子５を構成する単位電池１、２の端子の両方が、夫々反対方向に予め設定されたオフセット寸法Ｈ６だけずれて中心線Ｙ６と平行に突出している。
【００７１】
図１６においては、単位電池１、２を積層する際に。図１５とは単位電池の向きを変更して、折曲部４ａ〜４ｃおよび拝合わせ部５ａ、５ｂの大きさを小さくしている。このように、ユニット電池セル３ａ〜３ｃを積層するときに、折曲部４ａ〜４ｃまたは拝合わせ部５ａ、５ｂの位置および大きさを、オフセット寸法、または、単位電池１、２の積層する向きに応じて設定することができる。
【００７２】
（第５実施形態）
次に、本発明の第５実施形態について説明する。上述した実施形態と異なる部分を説明する。図１７を用いて、本発明の第５実施形態を示す組電池３を説明する。図１７において、ユニット電池セル３ａ〜３ｃを構成する複数の単位電池１、２相互間に絶縁板１１ａ〜１１ｃが設けられている。そして、拝合わせ部５ａ、５ｂ相互間に絶縁板１１ａ〜１１ｃが介在している。これによれば、単位電池１、２相互間に絶縁板１１ａ〜１１ｃが設けられているから、拝合わせ部５ａ、５ｂ相互間の絶縁性能を良くすることができる。
【００７３】
（第５実施形態の変形例）
図１８は、本発明の第５実施形態の変形例を示す組電池を示している。図１８において、ユニット電池セル３ａ〜３ｃを構成する複数の単位電池１、２相互間に絶縁板１１ａ〜１１ｃが設けられている。そして、拝合わせ部５ａ、５ｂ相互間に絶縁板１１ａ〜１１ｃが介在している。更に、絶縁板１１ａ〜１１ｃの左端は、折曲部４ａ〜４ｃに当接し、絶縁板１１ａ〜１１ｃによって折曲部４ａ〜４ｃを支持している。
【００７４】
これによれば、単位電池１、２相互間に絶縁板１１ａ〜１１ｃが設けられているから、拝合わせ部５ａ、５ｂ相互間の絶縁性能を良くすることができる。また、折曲部４ａ〜４ｃに当接し、絶縁板１１ａ〜１１ｃによって折曲部４ａ〜４ｃを支持しているから振動を抑制し、信頼性を高めることができる。
【００７５】
（第６実施形態）
次に、本発明の第６実施形態について説明する。上述した実施形態と異なる部分を説明する。図１９は、本発明の第６実施形態を示す組電池を示している。図１９において、ユニット電池セル３ａ〜３ｄ相互間に、金属板からなる放熱板（冷却板とも言う）１２ａ〜１２ｃが設けられている。
【００７６】
これによれば、ユニット電池セル３ａ〜３ｄに隣接して熱伝導率の良い放熱板１２ａ〜１２ｃが設けられているから、放熱性能のよい組電池３が得られる。なお、放熱板１２ａ〜１２ｃは、図１９の紙面奥側または紙面手前側において単位電池１、２内から突出し、空気と充分に熱交換できる。そして、送風機１３ａ、１３ｂによって矢印Ｙ１９１、Ｙ１９２方向に空気が流れ、図１９の紙面奥側または紙面手前側に突出した放熱板１２ａ〜１２ｃと空気とが充分に熱交換できる。
【００７７】
（第６実施形態の作用効果）
上記第６実施形態において、ユニット電池セル３ａ〜３ｄ相互間に、放熱板１２ａ〜１２ｃが設けられている。これによれば、放熱板１２ａ〜１２ｃから空気に放熱するため、放熱性能のよい組電池３が得られる。
【００７８】
また、折曲部４ａ〜４ｃと拝合わせ部５ａ、５ｂのうち放熱性能が悪い方から良い方に向かって、単位電池１、２を冷却する空気等の熱輸送媒体が流れる。従って、組電池３を均一的に放熱させることができる。
【００７９】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００８０】
電極は銅同士の接続でなくても良く、例えばアルミニウムと銅との接続でもよい。また、図１９において、放熱板１２ａ〜１２ｃは、単位電池１、２相互間に設けても良い。
【００８１】
更に、図７等では、一対の単位電池１、２は、一方側端子４および他方側端子５がオフセットした側のオフセット側側面６と、該オフセット側側面６と対向する非オフセット側側面７とを有している。そして、ユニット電池セル３ａ〜３ｃの各々は、非オフセット側側面７同士が隣接して積層されている。しかし、ユニット電池セル３ａ〜３ｃの各々は、オフセット側側面６同士が隣接して積層されていてもよい。これによれば、折曲部４ａ〜４ｃをコンパクトに構成できる。
【符号の説明】
【００８２】
１、２  単位電池
３  組電池
３ａ〜３ｄ  ユニット電池セル
４  一方側端子
４ａ〜４ｄ  折曲部
４ｙ、５ｙ  溶接部
５  他方側端子
５ａ〜５ｃ  拝合わせ部
９  ワイヤハーネス
Ｈ６  オフセット寸法
【図１】
2014220153.tif 000003
【図２】
2014220153.tif 000004
【図３】
2014220153.tif 000005
【図４】
2014220153.tif 000006
【図５】
2014220153.tif 000007
【図６】
2014220153.tif 000008
【図７】
2014220153.tif 000009
【図８】
2014220153.tif 000010
【図９】
2014220153.tif 000011
【図１０】
2014220153.tif 000012
【図１１】
2014220153.tif 000013
【図１２】
2014220153.tif 000014
【図１３】
2014220153.tif 000015
【図１４】
2014220153.tif 000016
【図１５】
2014220153.tif 000017
【図１６】
2014220153.tif 000018
【図１７】
2014220153.tif 000019
【図１８】
2014220153.tif 000020
【図１９】
2014220153.tif 000021